(57)【要約】【課題】  防水、防塵及び発光機能を得て、使用性を向上させるカバー型発光キーボードを提供する。【解決手段】  カバー型発光キーボードは、キーボード１０、薄膜被覆層２０、外フレーム３０及び発光モジュール３５を備える。キーボード１０は、底板上に取り付けられた複数の透光キーキャップ、複数のパンタグラフ、複数の弾性部材及び薄膜回路基板を有する。  薄膜被覆層２０は、弾性及び透光性を備えた薄膜材料からなるキーボード１０のカバー構造であり、表面に文字、記号、色又は模様が印刷され、頂面に複数の矩形状収納槽に対応した箇所がエンボス加工され、キーボード１０を完全に覆う。外フレーム３０は、キーボード１０の周縁部に固定された位置決めフレームである。発光モジュール３５は、フープ状の回路基板３６上に配置された複数の発光ダイオード３７を有し、外フレーム３０の内周縁部に配置してキーボード１０の発光光源として用いる。【選択図】  図２
0003163722.tif 000002
【実用新案登録請求の範囲】
【請求項１】
キーボード、薄膜被覆層、外フレーム及び発光モジュールを備えるカバー型発光キーボードであって、
前記キーボードは、底板上に取り付けられた複数の透光キーキャップ、複数のパンタグラフ、複数の弾性部材及び薄膜回路基板を有し、
前記薄膜被覆層は、弾性及び透光性を備えた薄膜材料からなる前記キーボードのカバー構造であり、表面に文字、記号、色又は模様が印刷され、頂面に複数の矩形状収納槽に対応した箇所がエンボス加工され、前記キーボードを完全に覆い、
前記外フレームは、前記キーボードの周縁部に固定された位置決めフレームであり、
前記発光モジュールは、フープ状の回路基板上に配置された複数の発光ダイオードを有し、前記外フレームの内周縁部に配置して前記キーボードの発光光源として用いることを特徴とするカバー型発光キーボード。
【請求項２】
前記発光ダイオードそれぞれの前側には、光を均一に集光させたり導光させたりする導光レンズが配置されていることを特徴とする請求項１に記載のカバー型発光キーボード。
【請求項３】
キーボード及び薄膜被覆層を備えるカバー型発光キーボードであって、
前記キーボードは、底板上に取り付けられた複数のキーキャップ、複数のパンタグラフ、複数の弾性部材、光源回路基板及び薄膜回路基板を有し、前記光源回路基板上には、複数の発光ダイオードが配置され、
前記薄膜被覆層は、弾性を備えた薄膜材料からなる前記キーボードのカバー構造であり、複数の矩形状収納槽に対応した頂面がエンボス加工され、前記キーボードを完全に覆うことを特徴とするカバー型発光キーボード。
【請求項４】
前記光源回路基板の周囲の適宜な箇所には、横方向で発光させる前記発光ダイオードが配置され、
前記薄膜被覆層の周囲縁部は、下方に延設された被覆端部により、前記キーボードを覆って一体成形することを特徴とする請求項３に記載のカバー型発光キーボード。
【請求項５】
前記キーボードの前記複数のキーキャップは、前記薄膜被覆層により覆われ、前記複数の矩形状収納槽内に配置され、
前記薄膜被覆層の表面又は底面には、文字、記号又は模様が印刷されていることを特徴とする請求項３に記載のカバー型発光キーボード。
【考案の詳細な説明】
【技術分野】
【０００１】
本考案は、カバー型発光キーボードに関するものであり、さらに詳しくは、薄膜カバー層及び発光素子を有するカバー型発光キーボードに関するものである。
【背景技術】
【０００２】
一般のノート型パソコンの従来のキーボードは、薄型キー構造を採用し、キーのキーキャップと底板との間にパンタグラフが設けられたものがほとんどである。
【０００３】
しかし、従来のキーボード構造は、軽量で薄型であり、正確に操作することができるが、防水性、防塵性又は発光機能は備わっていないものが多い。そのため、キーボードに溜まった埃を清掃したり、暗い部屋で使用するような場合、不便である。従来のキーボードは、各キートップに文字が印刷されているため、製造コストが高い上、複数の言語を入力することが困難であり、ユーザが不用意に扱うとキーキャップが外れる虞があった。
【考案の開示】
【考案が解決しようとする課題】
【０００４】
従って、本考案の課題は、防水、防塵及び発光機能を有し、使用性を向上させたカバー型発光キーボードを提供することにある。
【課題を解決するための手段】
【０００５】
そこで、本考案者は、前記の本考案の課題を解決するため鋭意検討を重ねた結果、キーボードに、薄膜被覆層と、環設された複数の発光素子とを取り付けることにより、前記課題を解決することができることに着目し、かかる知見に基いて本考案に想到した。
【０００６】
かくして、上記課題を解決するために、本考案の第１の形態によれば、キーボード、薄膜被覆層、外フレーム及び発光モジュールを備えるカバー型発光キーボードであって、前記キーボードは、底板上に取り付けられた複数の透光キーキャップ、複数のパンタグラフ、複数の弾性部材及び薄膜回路基板を有し、前記薄膜被覆層は、弾性及び透光性を備えた薄膜材料からなる前記キーボードのカバー構造であり、表面に文字、記号、色又は模様が印刷され、頂面に複数の矩形状収納槽に対応した箇所がエンボス加工され、前記キーボードを完全に覆い、前記外フレームは、前記キーボードの周縁部に固定された位置決めフレームであり、前記発光モジュールは、フープ状の回路基板上に配置された複数の発光ダイオードを有し、前記外フレームの内周縁部に配置して前記キーボードの発光光源として用いることを特徴とするカバー型発光キーボードが提供される。
【０００７】
前記発光ダイオードそれぞれの前側には、光を均一に集光させたり導光させたりする導光レンズが配置されていることが好ましい。
【０００８】
また、上記課題を解決するために、本考案の第２の形態によれば、キーボード及び薄膜被覆層を備えるカバー型発光キーボードであって、前記キーボードは、底板上に取り付けられた複数のキーキャップ、複数のパンタグラフ、複数の弾性部材、光源回路基板及び薄膜回路基板を有し、前記光源回路基板上には、複数の発光ダイオードが配置され、前記薄膜被覆層は、弾性を備えた薄膜材料からなる前記キーボードのカバー構造であり、複数の矩形状収納槽に対応した頂面がエンボス加工され、前記キーボードを完全に覆うことを特徴とするカバー型発光キーボードが提供される。
【０００９】
前記光源回路基板の周囲の適宜な箇所には、横方向で発光させる前記発光ダイオードが配置され、前記薄膜被覆層の周囲縁部は、下方に延設された被覆端部により、前記キーボードを覆って一体成形することが好ましい。
【００１０】
前記キーボードの前記複数のキーキャップは、前記薄膜被覆層により覆われ、前記複数の矩形状収納槽内に配置され、前記薄膜被覆層の表面又は底面には、文字、記号又は模様が印刷されていることが好ましい。
【考案の効果】
【００１１】
本考案のカバー型発光キーボードは、キーボードに、薄膜被覆層と、環設された複数の発光素子とを取り付けることにより、防水、防塵及び発光機能を得て、使用性を向上させることができる。
【図面の簡単な説明】
【００１２】
【図１】本考案の第１実施形態によるカバー型発光キーボードを示す分解斜視図である。
【図２】本考案の第１実施形態によるカバー型発光キーボードを示す分解斜視図である。
【図３】本考案の第１実施形態によるカバー型発光キーボードを示す断面図である。
【図４】本考案の第２実施形態によるカバー型発光キーボードを示す断面図である。
【考案を実施するための最良の形態】
【００１３】
以下、本考案の実施形態について図面に基づいて説明する。なお、これによって本考案が限定されるものではない。
（第１実施形態）
図１〜図３を参照する。図１〜図３に示すように、本考案の第１実施形態によるカバー型発光キーボードは、キーボード１０、薄膜被覆層２０、外フレーム３０及び発光モジュール３５を含む。
【００１４】
キーボード１０は、底板１８上に取り付けられた複数の透光キーキャップ１１、複数のパンタグラフ１２、複数の弾性部材１６及び薄膜回路基板１７を含む。ここで、キーボード１０は従来構造であるため、詳細な説明を省略する。
【００１５】
薄膜被覆層２０は、弾性及び透光性を備えた薄膜材料からなるキーボードのカバー構造である。薄膜被覆層２０の頂面には、複数の矩形状収納槽２１に配置された複数のキーキャップ１１に対応した箇所にエンボス加工されている。薄膜被覆層２０の底面に設けられた各矩形状収納槽２１には、深さが異なる複数の環状凹部２０１，２０２が凹設されている。即ち、アレイ状に配列された複数の環状凹部２０１，２０２は、発光素子光源の距離に応じ、発生する垂直反射光の輝度が等しくなるように、深さ及び配置密度を適宜調整することができる。キーボード１０の複数のキーキャップ１１は、薄膜被覆層２０により覆われ、複数の矩形状収納槽２１内に配置されている。キーボード１０は、薄膜被覆層２０により完全に覆われている。
【００１６】
外フレーム３０は、キーボード１０の周縁部に固定された位置決めフレームである。外フレーム３０の内周縁部には、キーボード１０の発光光源として用いる発光モジュール３５が配置されている。
【００１７】
発光モジュール３５は、フープ状の回路基板３６上に配置された複数の発光ダイオード３７を有する。各発光ダイオード３７の前側には、光を均一に集光させたり導光させたりすることができるように、導光レンズ３８が配置されている。
（第２実施形態）
図４を参照する。図４に示すように、本考案の第２実施形態によるカバー型発光キーボードは、キーボード１０内に配置された光源回路基板５０を有する。光源回路基板５０上には、複数の発光ダイオード５１が配置されている。各発光ダイオード５１は、キーボード全体の発光効果を高めるために、キーキャップ１１の底面に対応した箇所に配置されている。光源回路基板５０の周囲の適宜な箇所には、横方向の発光効果を得るために、発光ダイオード５２が配置されている。薄膜被覆層２０の周囲縁部は、下方に延設された被覆端部２５により、キーボード１０を覆って一体成形されている。
【００１８】
上述したことから分かるように、本考案のカバー型発光キーボードは、透光性を有する薄膜被覆層２０によりキーボード１０が覆われて一体成形されている。キーボード１０の周縁部には、キーボード１０の発光光源として用いる発光モジュール３５が配置されている。薄膜被覆層２０の表面又は底面には、文字、記号、色又は模様が印刷されてもよい。また、薄膜被覆層２０の表面又は底面には、特殊な紫外線又は赤外線のＬＥＤ光を放射するために、蛍光剤が塗布されている。そのため、キーボードは、蛍光効果により暗い場所で発光し、外観に伴なう美感が向上する。
【００１９】
当該分野の技術を熟知する当業者が理解できるように、本考案の好適な実施形態を前述の通り開示したが、これらは決して本考案を限定するものではない。本考案の主旨と領域を逸脱しない範囲内で各種の変更や修正を加えることができる。従って、本考案の範囲は、このような変更や修正を含めて広く解釈されるべきである。
【符号の説明】
【００２０】
１０  キーボード
１１  キーキャップ
１２  パンタグラフ
１６  弾性部材
１７  薄膜回路基板
１８  底板
２０  薄膜被覆層
２１  矩形状収納槽
２５  被覆端部
３０  外フレーム
３５  発光モジュール
３６  回路基板
３７  発光ダイオード
３８  導光レンズ
５０  光源回路基板
５１  発光ダイオード
５２  発光ダイオード
２０１  環状凹部
２０２  環状凹部
【図１】
0003163722.tif 000003
【図２】
0003163722.tif 000004
【図３】
0003163722.tif 000005
【図４】
0003163722.tif 000006